(57)【要約】【課題】自動ドア開閉制御用センサにおいて、発光部の基板上に赤外線発光ダイオードを実装するにあたって、その実装スペースの省スペース化、もしくは決められた実装スペース内への素子搭載数の多数個化がはかれる赤外線発光ダイオードを提供する。【解決手段】リードフレーム１１０にて支持されているＬＥＤ素子１２０を封止樹脂のレンズ体１３０で封止してなる赤外線発光ダイオード１０として、レンズ体１３０の発光面（頂面）１３１が蒲鉾状の凸曲面で、発光面１３１の投影図形が短辺Ｓと長辺Ｌを含む矩形で、好ましくは短辺Ｓと長辺Ｌの比（アスペクト比）が１．６〜２．２である赤外線発光ダイオード１０を用いる。【選択図】図２
2018137335.tif 000002
【特許請求の範囲】
【請求項１】
監視領域に向けて赤外線を照射する発光部と、上記監視領域からの反射光を受光する受光部とを含み、上記発光部にリードフレームにて支持されているＬＥＤ素子を封止樹脂のレンズ体で封止してなる赤外線発光ダイオードが用いられている自動ドア開閉制御用センサにおいて、
上記レンズ体の発光面は蒲鉾状の凸曲面であり、上記発光面の投影図形が短辺と長辺を含む矩形であることを特徴とする自動ドア開閉制御用センサ。
【請求項２】
上記短辺と長辺のアスペクト比が１．６〜２．２であることを特徴とする請求項１に記載の自動ドア開閉制御用センサ。
【請求項３】
上記赤外線発光ダイオードの指向半値角が±５０度以上であることを特徴とする請求項１または２に記載の自動ドア開閉制御用センサ。
【請求項４】
上記レンズ体を構成する封止樹脂には、その樹脂量に対し体積比で１〜５０％の拡散剤が混合されていることを特徴とする請求項１ないし３のいずれか１項に記載の自動ドア開閉制御用センサ。
【請求項５】
上記体積比が２〜２０％であることを特徴とする請求項４に記載の自動ドア開閉制御用センサ。
【請求項６】
上記拡散剤として無機化合物が用いられ、上記無機化合物には金属酸化物、金属水酸化物、炭酸塩、硫酸塩が含まれることを特徴とする請求項４または５に記載の自動ドア開閉制御用センサ。
【請求項７】
上記レンズ体が熱硬化性樹脂からなり、上記無機化合物として金属酸化物および／または金属水酸化物が用いられることを特徴とする請求項６に記載の自動ドア開閉制御用センサ。
【請求項８】
上記無機化合物の屈折率が１．３〜１．８であることを特徴とする請求項６または７に記載の自動ドア開閉制御用センサ。
【発明の詳細な説明】
【技術分野】
【０００１】
本発明は、発光部と受光部とを含む自動ドア開閉制御用センサに関し、さらに詳しく言えば、その発光部に用いられる赤外線発光ダイオードに関するものである。
【背景技術】
【０００２】
赤外線による自動ドア開閉制御用センサは、基本的な構成として、自動ドア近傍の監視領域（床面）に向けて赤外線を照射する発光部と、監視領域からの反射光を受光する受光部とを含み、受光部の受光量の変化に基づいて自動ドアを通過する人体を検知してドアエンジンを駆動する（例えば、特許文献１参照）。
【０００３】
発光素子には赤外線発光ダイオード（ＬＥＤ）が用いられるが、監視領域に複数の検出スポットを形成するため、通常、複数の赤外線発光ダイオードと分割レンズの組合せが採用される。
【０００４】
引き戸式ドアの開閉方向を列として、その１列に１２スポットを含ませるには、例えば３素子×４分割レンズの組合せが採用される。この検出スポット列は、通常、ドア踏み込み方向に沿って多列として配置される。例えば、その多列が６列であるとすると、発光部には３素子×６列分＝１８個の赤外線発光ダイオードが設けられることになる。
【０００５】
ところで、自動ドア開閉制御用センサの分野において、赤外線発光ダイオードには、リードフレームにて支持されているＬＥＤ素子を封止樹脂のレンズ体で封止してなり、そのレンズ体の形状が砲弾型である赤外線発光ダイオードが用いられる（例えば、特許文献２参照）。
【先行技術文献】
【特許文献】
【０００６】
【特許文献１】特開２０１４−０３８０１９号公報
【特許文献２】特開２０１４−０３８０１９号公報
【発明の概要】
【発明が解決しようとする課題】
【０００７】
砲弾型の赤外線発光ダイオードの発光面側から見た平面視はほぼ円形であるため、砲弾型の赤外線発光ダイオードを発光部の基板上に、例えば上記のように３素子×６列分＝１８個並べるには、それに見合った広いスペースを必要とする。
【０００８】
この種の自動ドア開閉制御用センサは、自動ドアの無目もしくは天井面に取り付けられるが、余り目立たないように小型化が要望されている。他方において、素子数を増やして検出感度を高めたいという要望もある。
【０００９】
そこで、本発明の課題は、自動ドア開閉制御用センサにおいて、発光部の基板上に発光素子（赤外線発光ダイオード）を実装（搭載）するにあたって、その実装スペースの省スペース化、もしくは決められた実装スペース内への素子搭載数の多数個化がはかれる赤外線発光ダイオードを提供することにある。
【課題を解決するための手段】
【００１０】
上記課題を解決するため、本発明は、監視領域に向けて赤外線を照射する発光部と、上記監視領域からの反射光を受光する受光部とを含み、上記発光部にリードフレームにて支持されているＬＥＤ素子を封止樹脂のレンズ体で封止してなる赤外線発光ダイオードが用いられている自動ドア開閉制御用センサにおいて、上記レンズ体の発光面は蒲鉾状の凸曲面であり、上記発光面の投影図形が短辺と長辺を含む矩形であることを特徴としている。
【００１１】
本発明において、上記短辺と長辺のアスペクト比が１．６〜２．２であることが好ましい。
【００１２】
また、上記赤外線発光ダイオードの指向半値角が±５０度以上、より好ましくは±６０度以上であるとよい。
【００１３】
上記した指向半値角を得るうえで、上記レンズ体を構成する封止樹脂には、その樹脂量に対し体積比で１〜５０％の拡散剤が混合される。より好ましい体積比は２〜２０％である。
【００１４】
上記拡散剤として無機化合物が好ましく用いられ、上記無機化合物には金属酸化物、金属水酸化物、炭酸塩、硫酸塩が含まれる。
【００１５】
本発明の好ましい態様によると、上記レンズ体が熱硬化性樹脂からなり、上記無機化合物として金属酸化物および／または金属水酸化物が用いられる。
【００１６】
上記無機化合物の屈折率は、正反射率および拡散反射率を良好とするうえで１．３〜１．８であることが好ましい。
【発明の効果】
【００１７】
本発明によれば、発光部に搭載される赤外線発光ダイオードとして、従来のように砲弾型ではなく、ＬＥＤ素子を封止するレンズ体の発光面が蒲鉾状の凸曲面であり、その発光面の投影図形（平面視図形）が短辺と長辺を含む矩形である赤外線発光ダイオードを用いることにより、発光部の基板上に赤外線発光ダイオードを実装（搭載）するにあたって、その実装スペースの省スペース化をはかることができる。
【００１８】
また、レンズ体に拡散剤を入れて指向半値角を±５０度以上とすることにより、赤外線発光ダイオードの設置スペースが狭くても動作感度を高めることができる。
【図面の簡単な説明】
【００１９】
【図１】本発明の実施形態に係る自動ドア開閉制御用センサが備える（ａ）発光部の構成を示す模式図、（ｂ）受光部の構成を示す模式図および（ｃ）上記発光部での赤外線発光ダイオードの配列の一例を示す模式図。
【図２】上記発光部に適用される赤外線発光ダイオードの（ａ）正面図、（ｂ）側面図および（ｃ）平面図。
【図３】（ａ）レンズ体に拡散剤を含ませたときの拡散半値角を示すグラフ、（ｂ）その比較例としてレンズ体に拡散剤を含ませないときの拡散半値角を示すグラフ。
【発明を実施するための形態】
【００２０】
次に、図１ないし図３を参照して、本発明の実施形態について説明するが、本発明はこれに限定されるものではない。
【００２１】
本発明の実施形態に係る自動ドア開閉制御用センサは、図１（ａ）に示す発光部１と、図１（ｂ）に示す受光部２とを備えている。なお、発光部１と受光部２はペアとして図示しない筐体内に組み込まれ、同じく図示しない自動ドアの無目もしくはその天井付近に設置される。
【００２２】
発光部１は、基本的な構成として、発光素子としての赤外線発光ダイオード（以下、発光ダイオードと略記することがある）１０と、投光レンズ１５とを備えている。
【００２３】
この実施形態において、発光ダイオード１０として３つの発光ダイオード１０ａ，１０ｂ，１０ｃが用いられている。これら発光ダイオード１０ａ，１０ｂ，１０ｃは、発光部１内の基板１３に実装（搭載）されている。なお、これら発光ダイオード１０ａ，１０ｂ，１０ｃは同一構成であり、特に区別する必要がない場合には、総称として発光ダイオード１０という。
【００２４】
また、投光レンズ１５には、４分割レンズ１５ａが用いられている。したがって、発光ダイオード１０ａ，１０ｂ，１０ｃから４分割レンズ１５ａを通して監視領域としての図示しない自動ドア近傍の床面に向けて１２スポットの赤外光が照射される。
【００２５】
受光部２は、基本的な構成として、受光素子としてのフォトダイオード２０と、受光レンズ２５とを備えている。この実施形態によると、フォトダイオード２０には３つのフォトダイオード２０ａ，２０ｂ，２０ｃが用いられ、これらフォトダイオード２０ａ，２０ｂ，２０ｃは、受光部２内の基板２３に実装（搭載）されている。
【００２６】
床面からの１２スポットの反射光を３つのフォトダイオード２０ａ，２０ｂ，２０ｃで受光するため、受光レンズ２５には４分割レンズ２５ａが用いられている。
【００２７】
この実施形態では、発光部１と受光部２ともに３素子×４分割レンズとしているが、素子数とレンズの分割数は必ずしも一致させる必要はなく、１２スポット光の場合について言えば、発光部１もしくは受光部２を例えば４素子×３分割レンズとしてもよい。
【００２８】
本発明において重要なのは発光部１に用いられる発光ダイオード１０で、受光部２のフォトダイオード２０は従来より用いられているフォトダイオードであってよい。
【００２９】
図２（ａ）〜（ｃ）を参照して、発光ダイオード１０は、カソード側フレーム１１１とアノード側フレーム１１２を含むリードフレーム１１０と、リードフレーム１１０に支持されるＬＥＤ素子１２０と、ＬＥＤ素子１２０が埋没されるようにＬＥＤ素子１２０を封止する封止樹脂からなるレンズ体１３０とを備えている。ＬＥＤ素子１２０には、ＧａＡｓ，ＧａＡｌＡｓ等の化合物半導体が用いられてよい。
【００３０】
本発明において、レンズ体１３０の発光面（頂面）１３１は、図２（ｂ）の側面図に示すように、蒲鉾状の凸曲面であり、図２（ｃ）の平面図に示すように、発光面１３１の投影図形（平面視図形）は短辺Ｓと長辺Ｌを含む矩形であり、従来の砲弾型とは異なる。
【００３１】
このようにレンズ体１３０を矩形状とすることにより、図１（ｃ）に示すように、発光ダイオード１０を隙間なく密に配置することができる。これにより、基板１３の限られたスペース内により多くの発光ダイオード１０を搭載することができる。
【００３２】
本発明において、好ましい短辺Ｓと長辺Ｌの比（アスペクト比）は１．６〜２．２である。アスペクト比が１．６未満の場合には高密度実装が困難で、通常の砲弾型と効果上の差が少なく好ましくない。また、アスペクト比が２．２を超えると、製造コストが大幅に高くなるので好ましくない。
【００３３】
レンズ体１３０を構成する封止樹脂に対して拡散剤（光拡散剤）を含有させることにより、発光ダイオード１０の指向半値角を調整することができる。
【００３４】
一例として、図３（ａ）のグラフに、封止樹脂に拡散剤を含有させて指向半値角を±５５゜とした例を示す。比較例として、図３（ｂ）に拡散剤を含有させないときの指向半値角のグラフを示す。この比較例の指向半値角は±４１゜である。
【００３５】
なお、指向半値角とは、発光ダイオードの中心軸（光軸）における光の強度に対し、相対的に光の強度が５０％に半減する方向の内角を言う。中心軸を０゜として、例えば±５５゜と表される（１１０゜と表される場合もある）。
【００３６】
本発明において、発光ダイオード１０の好ましい指向半値角は±５０゜以上、より好ましくは±６０゜以上である。これにより、発光ダイオード１０の設置スペースが狭くても動作感度を高めることができる。
【００３７】
指向半値角を±５０゜以上とするにあたって、封止樹脂に対する拡散剤の好ましい含有量は体積比で１〜５０ｖｏｌ％、より好ましくは２〜２０ｖｏｌ％である。
【００３８】
レンズ体１３０を構成する封止樹脂は熱硬化性樹脂が好ましいが、赤外線を遮蔽、遮断しない樹脂を選ぶ必要がある。密着性が高い理由から、エポキシ樹脂、フェノール樹脂、尿素樹脂、メラミン樹脂、不飽和ポリエステル樹脂もしくはケイ素樹脂等が好ましく採用される。中でも、エポキシ樹脂、ケイ素樹脂が好ましい。
【００３９】
拡散剤には無機化合物が用いられる。使用する無機化合物には、金属酸化物、金属水酸化物、炭酸塩、硫酸塩等が挙げられる。安定性と価格から金属酸化物が好ましい。
【００４０】
金属酸化物には、酸化アルミニウム、酸化マグネシウム、酸化チタン、酸化亜鉛、二酸化ケイ素、酸化ジルコニウム等がある。
【００４１】
金属水酸化物には、水酸化アルミニウム、水酸化カルシウム、水酸化マグネシウム等がある。
【００４２】
炭酸塩には、炭酸カルシウム（軽質炭酸カルシウム、重質炭酸カルシウム、極微細炭酸カルシウム等）、炭酸バリウム、炭酸マグネシウム、炭酸ストロンチウム等がある。
【００４３】
硫酸塩には、硫酸カルシウム、硫酸バリウム等がある。
【００４４】
これ以外のその他の候補として、カルシウムカーボネート、方解石、大理石、石膏、カリオンクレー、焼成クレー、タルク、セリサイト、光学ガラス、ガラスビーズ等が挙げられる。
【００４５】
上記に挙げた中でも、熱硬化性樹脂との親和性が良いことから、酸化アルミニウム、二酸化ケイ素、水酸化アルミニウムが特に好ましい。また、上記した無機化合物粒子は２種類以上が併用されてもよい。
【００４６】
上記無機化合物粒子の形状は特に限定されず、例えば球状、多面体状（４面体状、８面体状、１２面体状、２０面体状等）、立方体状、表面に凹凸もしくは凸状の突起を複数有する形状（金平糖のような形状）、板状、針状等であってよい。
【００４７】
これら形状のうち、断熱性に優れる理由から、球状、多面体状、立方体状、金平糖状が好ましいが、入手しやすく、断熱性にも優れている球状が特に好ましい。
【００４８】
また、拡散剤として使用する無機化合物の屈折率は、正反射率および拡散反射率がより良好となる理由から１．３〜１．８が好ましい。
【００４９】
このように屈折率１．３〜１．８を満たす無機化合物粒子としては、酸化アルミニウム、酸化マグネシウム、水酸化アルミニウム、水酸化カルシウム、水酸化マグネシウム、炭酸カルシウム、炭酸バリウム、炭酸マグネシウム、炭酸ストロンチウム、硫酸カルシウム、硫酸バリウム、大理石、石膏、カリオンクレー、タルク、セリサイト、光学ガラス、ガラスビーズ等が挙げられる。
【００５０】
上記したように、レンズ体１３０を構成する封止樹脂には熱硬化性樹脂が好ましく用いられ、熱硬化性樹脂に対する拡散剤としての無機化合物粒子の含有量（配合量）は、熱硬化性樹脂全量を１００として、体積比で１〜５０ｖｏｌ％、好ましくは２〜２０ｖｏｌ％であるが、無機化合物粒子の添加方法は、練り込み等であってよく特に限定されない。なお、レンズ体１３０の表面に無機化合物粒子を塗布する態様も本発明に含まれる。
【符号の説明】
【００５１】
１  発光部
１０（１０ａ〜１０ｃ）  赤外線発光ダイオード
１３  基板
１５  投光レンズ
１５ａ  分割レンズ
２  受光部
２０（２０ａ〜２０ｃ）  フォトダイオード
２３  基板
２５  受光レンズ
２５ａ  分割レンズ
１１０  リードフレーム
１２０  ＬＥＤ素子
１３０  レンズ体
１３１  発光面
【図１】
2018137335.tif 000003
【図２】
2018137335.tif 000004
【図３】
2018137335.tif 000005